(57)【要約】【課題】自動運転に関する情報を好適に表示することが可能な表示装置を提供する。【解決手段】車両表示システム２は、車両１を目的地に誘導する経路を探索し、探索した経路を第１ディスプレイ２７に表示する。このとき、車両表示システム２は、車両１が自動運転で制御される経路上の区間である自動運転区間と、車両１が手動運転で制御される経路上の区間である手動運転区間とを識別可能に表示させると共に、自動運転区間内での車両の挙動を示す情報を表示させる。【選択図】図３
2018100867.tif 000002
【特許請求の範囲】
【請求項１】
移動体を目的地に誘導する経路を探索する探索部と、
前記探索部が探索した前記経路を表示する表示部と、
前記移動体が自動運転で制御される前記経路上の区間である自動運転区間と、前記移動体が手動運転で制御される前記経路上の区間である手動運転区間とを識別可能に前記表示部に表示させる制御部と、を備え、
前記制御部は、前記自動運転区間内での前記移動体の挙動を示す情報を前記表示部に表示させることを特徴とする表示装置。
【請求項２】
移動体を目的地に誘導する経路を、前記移動体が自動運転で制御される前記経路上の区間である自動運転区間と、前記移動体が手動運転で制御される前記経路上の区間である手動運転区間とを識別可能に表示部に表示させる制御部を備え、
前記制御部は、更に前記自動運転区間内での前記移動体の挙動を示す情報を前記表示部に表示させることを特徴とする表示装置。
【請求項３】
請求項１に記載の表示装置から表示情報を受信する受信部をさらに備え、
前記制御部は、前記受信部が受信した表示情報に基づき、前記自動運転区間と前記手動運転区間とを識別可能に前記表示部に表示させ、かつ、前記自動運転区間内での前記移動体の挙動を示す情報を前記表示部に表示させることを特徴とする請求項２に記載の表示装置。
【請求項４】
前記制御部は、前記挙動を示す情報として、前記経路における経由地での進行方向、車線変更、経由地での停車、走行速度の少なくとも一つを報知することを特徴とする請求項１〜３のいずれか一項に記載の表示装置。
【請求項５】
前記制御部は、入力部への入力に基づき、前記表示部に表示されている自動運転区間を変更することを特徴とする請求項１〜４のいずれか一項に記載の表示装置。
【請求項６】
前記制御部は、入力部への入力に基づき、前記自動運転区間内における前記移動体の挙動に関する設定を変更することを特徴とする請求項１〜５のいずれか一項に記載の表示装置。
【請求項７】
前記制御部は、前記入力部への入力に基づき、前記自動運転区間内における車線変更の有無、車線変更の位置、走行速度、乗車地点、又は立寄り地の有無の少なくとも１つを変更することを特徴とする請求項６に記載の表示装置。
【請求項８】
前記制御部は、前記自動運転区間の走行時に再生させるコンテンツの情報を前記表示部に表示させることを特徴とする請求項１〜７のいずれか一項に記載の表示装置。
【請求項９】
前記制御部は、前記経路の周辺に存在する推奨される立寄り地の情報を、前記表示部に表示させることを特徴とする請求項１〜８のいずれか一項に記載の表示装置。
【請求項１０】
前記制御部は、前記経路における経由地で撮影された画像を、当該経路地と対応付けて表示することを特徴とする請求項１〜９のいずれか一項に記載の表示装置。
【請求項１１】
表示部を備える表示装置が実行する制御方法であって、
移動体を目的地に誘導する経路を探索する探索工程と、
前記移動体が自動運転で制御される前記経路上の区間である自動運転区間と、前記移動体が手動運転で制御される前記経路上の区間である手動運転区間とを識別可能に前記表示部に表示させる制御工程と、を有し、
前記制御工程は、前記自動運転区間内での前記移動体の挙動を示す情報を前記表示部に表示させることを特徴とする制御方法。
【請求項１２】
表示部を備える表示装置のコンピュータが実行するプログラムであって、
移動体を目的地に誘導する経路を探索する探索部と、
前記移動体が自動運転で制御される前記経路上の区間である自動運転区間と、前記移動体が手動運転で制御される前記経路上の区間である手動運転区間とを識別可能に前記表示部に表示させる制御部
として前記コンピュータを機能させ、
前記制御部は、前記自動運転区間内での前記移動体の挙動を示す情報を前記表示部に表示させることを特徴とするプログラム。
【請求項１３】
請求項１２に記載のプログラムを記憶したことを特徴とする記憶媒体。
【発明の詳細な説明】
【技術分野】
【０００１】
本発明は、自動運転に関する表示技術に関する。
【背景技術】
【０００２】
従来から、自動運転が可能な区間であるか否かを地図上で識別できるように表示する技術が知られている。例えば、特許文献１には、現在位置から目的地までの経路上で、自動運転と半自動運転の区間とをナビゲーション装置のディスプレイに表示させる技術が開示されている。
【先行技術文献】
【特許文献】
【０００３】
【特許文献１】特開２０１６−０９７７７０号公報
【発明の概要】
【発明が解決しようとする課題】
【０００４】
特許文献１によれば、運転者は、経路上における自動運転区間及び半自動運転区間を認識することができる。一方、安全性及び利便性等の観点から、自動運転区間内において車両がどのように制御されるかを運転者が予め把握できると便宜であるが、この点については特許文献１には何ら開示及び示唆がない。
【０００５】
本発明は、例えば、上記のような課題を解決するためになされたものであり、自動運転に関する情報を好適に表示することが可能な表示装置を提供することを主な目的とする。
【課題を解決するための手段】
【０００６】
請求項１に記載の発明は、表示装置であって、移動体を目的地に誘導する経路を探索する探索部と、前記探索部が探索した前記経路を表示する表示部と、前記移動体が自動運転で制御される前記経路上の区間である自動運転区間と、前記移動体が手動運転で制御される前記経路上の区間である手動運転区間とを識別可能に前記表示部に表示させる制御部と、を備え、前記制御部は、前記自動運転区間内での前記移動体の挙動を示す情報を前記表示部に表示させることを特徴とする。
【０００７】
請求項２に記載の発明は、表示装置であって、移動体を目的地に誘導する経路を、前記移動体が自動運転で制御される前記経路上の区間である自動運転区間と、前記移動体が手動運転で制御される前記経路上の区間である手動運転区間とを識別可能に表示部に表示させる制御部を備え、前記制御部は、更に前記自動運転区間内での前記移動体の挙動を示す情報を前記表示部に表示させることを特徴とする。
【０００８】
請求項１１に記載の発明は、表示部を備える表示装置が実行する制御方法であって、移動体を目的地に誘導する経路を探索する探索工程と、前記移動体が自動運転で制御される前記経路上の区間である自動運転区間と、前記移動体が手動運転で制御される前記経路上の区間である手動運転区間とを識別可能に前記表示部に表示させる制御工程と、を有し、前記制御工程は、前記自動運転区間内での前記移動体の挙動を示す情報を前記表示部に表示させることを特徴とする。
【０００９】
請求項１２に記載の発明は、表示部を備える表示装置のコンピュータが実行するプログラムであって、移動体を目的地に誘導する経路を探索する探索部と、前記移動体が自動運転で制御される前記経路上の区間である自動運転区間と、前記移動体が手動運転で制御される前記経路上の区間である手動運転区間とを識別可能に前記表示部に表示させる制御部
として前記コンピュータを機能させ、前記制御部は、前記自動運転区間内での前記移動体の挙動を示す情報を前記表示部に表示させることを特徴とする。
【図面の簡単な説明】
【００１０】
【図１】車両表示システムの概略構成である。
【図２】車両表示システムのブロック構成を示す。
【図３】目的地までの経路設定後の第１ディスプレイによる第１表示例である。
【図４】第１ディスプレイによる第２表示例である。
【図５】第１ディスプレイによる第３表示例である。
【図６】第１ディスプレイによる第４表示例である。
【図７】第１ディスプレイによる第５表示例である。
【図８】第１ディスプレイによる第６表示例である。
【発明を実施するための形態】
【００１１】
本発明の好適な実施形態によれば、表示装置は、移動体を目的地に誘導する経路を探索する探索部と、前記探索部が探索した前記経路を表示する表示部と、前記移動体が自動運転で制御される前記経路上の区間である自動運転区間と、前記移動体が手動運転で制御される前記経路上の区間である手動運転区間とを識別可能に前記表示部に表示させる制御部と、を備え、前記制御部は、前記自動運転区間内での前記移動体の挙動を示す情報を前記表示部に表示させる。
【００１２】
上記表示装置は、探索部と、表示部と、制御部とを備える。探索部は、移動体を目的地に誘導する経路を探索する。表示部は、探索部が探索した経路を表示する。制御部は、移動体が自動運転で制御される経路上の区間である自動運転区間と、移動体が手動運転で制御される経路上の区間である手動運転区間とを識別可能に表示部に表示させる。ここで、制御部は、自動運転区間内での移動体の挙動を示す情報を表示部に表示させる。この態様によれば、表示装置は、自動運転区間と手動運転区間とをユーザに好適に識別させつつ、自動運転区間における移動体の挙動をユーザに好適に把握させることができる。
【００１３】
本発明の他の好適な実施形態によれば、表示装置は、移動体を目的地に誘導する経路を、前記移動体が自動運転で制御される前記経路上の区間である自動運転区間と、前記移動体が手動運転で制御される前記経路上の区間である手動運転区間とを識別可能に表示部に表示させる制御部を備え、前記制御部は、更に前記自動運転区間内での前記移動体の挙動を示す情報を前記表示部に表示させる。この態様によっても、表示装置は、自動運転区間と手動運転区間とをユーザに好適に識別させつつ、自動運転区間における移動体の挙動をユーザに好適に把握させることができる。
【００１４】
上記表示装置の一態様では、表示装置は、請求項１に記載の表示装置から表示情報を受信する受信部をさらに備え、前記制御部は、前記受信部が受信した表示情報に基づき、前記自動運転区間と前記手動運転区間とを識別可能に前記表示部に表示させ、かつ、前記自動運転区間内での前記移動体の挙動を示す情報を前記表示部に表示させる。この態様によれば、表示装置は、他の表示装置から受信した表示情報に基づき、自動運転区間と手動運転区間とを識別可能に表示しつつ、自動運転区間内での移動体の挙動を示す情報を好適に表示することができる。
【００１５】
上記表示装置の他の一態様では、前記制御部は、前記挙動を示す情報として、前記経路における経由地での進行方向、車線変更、経由地での停車、走行速度の少なくとも一つを報知する。ここで「報知」とは、表示、音声、振動、光などの種々の媒体による出力を含む。また、「経由地での停車」とは、立寄り地として設定された施設、友人又は知人を車両に乗せる地点等に車両を停車させることを指す。また、「車線変更」とは、片側複数車線での車線変更、有料道路や高速道路等における合流での車線変更を含む。この態様により、表示装置は、自動運転区間内における車線変更の有無、経由地での停車の有無、又は移動体の走行速度を好適にユーザに把握させることができる。
【００１６】
上記表示装置の他の一態様では、前記制御部は、入力部への入力に基づき、前記表示部に表示されている自動運転区間を変更する。この態様により、表示装置は、自動運転区間の短縮や延長等をユーザの意図に即して好適に行うことができる。
【００１７】
上記表示装置の他の一態様では、前記制御部は、入力部への入力に基づき、前記自動運転区間内における前記移動体の挙動に関する設定を変更する。この態様により、表示装置は、自動運転区間内における移動体の挙動を好適にユーザの好みに合わせて調整することができる。
【００１８】
上記表示装置の他の一態様では、前記制御部は、前記入力部への入力に基づき、前記自動運転区間内における車線変更の有無、車線変更の位置、走行速度、乗車地点、又は立寄り地の有無の少なくとも１つを変更する。この態様により、表示装置は、自動運転区間内における車線変更の有無、車線変更の位置、走行速度、乗車地点、及び立寄り地の有無の少なくとも１つを好適にユーザの好みに合わせて調整することができる。
【００１９】
上記表示装置の他の一態様では、前記制御部は、前記自動運転区間の走行時に再生させるコンテンツの情報を前記表示部に表示させる。この態様により、表示装置は、自動運転に視聴予定のコンテンツの情報を好適にユーザに把握させることができる。
【００２０】
上記表示装置の他の一態様では、前記制御部は、前記経路の周辺に存在する推奨される立寄り地の情報を、前記表示部に表示させる。この態様により、表示装置は、経路付近の施設等を立寄り地として推奨し、好適に運転者に休憩を促すことができる。
【００２１】
上記表示装置の他の一態様では、前記制御部は、前記経路における経由地で撮影された画像を、当該経路地と対応付けて表示する。この態様により、表示装置は、経由地の状況を好適に画像により運転者に把握させて、再経路探索の要否などを好適に運転者に判断させることができる。
【００２２】
本発明の他の好適な実施形態によれば、表示部を備える表示装置が実行する制御方法であって、移動体を目的地に誘導する経路を探索する探索工程と、前記移動体が自動運転で制御される前記経路上の区間である自動運転区間と、前記移動体が手動運転で制御される前記経路上の区間である手動運転区間とを識別可能に前記表示部に表示させる制御工程と、を有し、前記制御工程は、前記自動運転区間内での前記移動体の挙動を示す情報を前記表示部に表示させる。表示装置は、この制御方法を実行することで、自動運転区間と手動運転区間とをユーザに好適に識別させつつ、自動運転区間における移動体の挙動をユーザに好適に把握させることができる。
【００２３】
本発明の他の好適な実施形態によれば、表示部を備える表示装置のコンピュータが実行するプログラムであって、移動体を目的地に誘導する経路を探索する探索部と、前記移動体が自動運転で制御される前記経路上の区間である自動運転区間と、前記移動体が手動運転で制御される前記経路上の区間である手動運転区間とを識別可能に前記表示部に表示させる制御部として前記コンピュータを機能させ、前記制御部は、前記自動運転区間内での前記移動体の挙動を示す情報を前記表示部に表示させる。コンピュータは、このプログラムを実行することで、自動運転区間と手動運転区間とをユーザに好適に識別させつつ、自動運転区間における移動体の挙動をユーザに好適に把握させることができる。好適には、上記プログラムは、記憶媒体に記憶される。
【実施例】
【００２４】
以下、図面を参照して本発明の好適な実施例について説明する。
【００２５】
［車両表示システムの概要］
図１は、本実施例に係る車両表示システム２の概略構成である。車両表示システム２は、自動運転を行う車両１に搭載されるシステムであって、自動運転に関する表示を行う。
【００２６】
車両表示システム２は、第１ディスプレイ２７と、第２ディスプレイ２８と、第３ディスプレイ２９とを含み、ディスプレイを備える携帯端末３と無線又は有線によりデータ通信が可能となっている。車両表示システムは、本発明における「表示装置」の一例である。
【００２７】
第１ディスプレイ２７は、地図や設定された経路の経由地のリストなどを表示するメインディスプレイとして機能する。第２ディスプレイ２８は、車両１のセンターコンソール１４に載置されるディスプレイであって、主に自動運転に関する設定情報を表示したり、自動運転に関する設定の入力を受け付けたりする。第１ディスプレイ２７及び第２ディスプレイ２８には、それぞれタッチパネルが積層されている。第３ディスプレイ２９は、メータパネル１３に設けられており、速度計、オドメータ、タコメータなどのメータークラスタの出力に関する表示や、自動運転を行う区間までの距離や当該区間までの所要時間などの表示を行う。
【００２８】
また、ハンドル１２には、自動運転切替ボタン１６が設けられている。自動運転切替ボタン１６は、自動運転が可能な区間における自動運転及び手動運転の切替をユーザが指示するボタンである。
【００２９】
携帯端末３は、例えばスマートフォンなどのタブレット型端末であり、図１の例では、クレードル４により把持された状態でダッシュボード１１上に固定されている。携帯端末３は、車両表示システム２から表示情報を受信することで、第１ディスプレイ２７、第２ディスプレイ２８または第３ディスプレイ２９と同様の表示を行う。なお、携帯端末３は、車両表示システム２と通信を直接行う代わりに、クレードル４を介して車両表示システム２と必要なデータ通信を行ってもよい。携帯端末３は、本発明における「表示装置」の一例である。
【００３０】
図２は、車両表示システム２の概略構成を示す。図２に示すように、車両表示システム２は、通信部２１と、記憶部２２と、センサ部２３と、入力部２４と、制御部２５と、出力部２６とを有する。通信部２１、記憶部２２、センサ部２３、入力部２４、制御部２５及び出力部２６は、バスラインを介して相互に接続されている。
【００３１】
通信部２１は、制御部２５の制御に基づき、携帯端末３とデータ通信を行う。また、通信部２１は、車両を制御するための信号を車両に送信したり、車両の状態に関する信号を車両から受信したりする。
【００３２】
記憶部２２は、制御部２５が実行するプログラムや、制御部２５が所定の処理を実行する為に必要な情報を記憶する。本実施例では、記憶部２２は、自動運転や地図表示などに必要な道路データや施設情報などを含む地図データ２０を記憶する。なお、地図データ２０は、予め記憶部２２に記憶されていてもよく、図示しないサーバ装置から受信する情報に基づき生成又は更新されてもよい。
【００３３】
センサ部２３は、車両の周辺環境を認識するための１又は複数の外界センサ３１と、ＧＰＳ受信機３２と、ジャイロセンサ３３及び速度センサ３４などの自立測位装置とを含む。外界センサ３１は、例えば、カメラ（３Ｄカメラも含む）、ライダ（ＬＩＤＡＲ：Ｌａｓｅｒ  Ｉｌｌｕｍｉｎａｔｅｄ  Ｄｅｔｅｃｔｉｏｎ  ａｎｄ  Ｒａｎｇｉｎｇ、Ｌａｓｅｒ  Ｉｍａｇｉｎｇ  Ｄｅｔｅｃｔｉｏｎ  ａｎｄ  Ｒａｎｇｉｎｇ または ＬｉＤＡＲ：Ｌｉｇｈｔ  Ｄｅｔｅｃｔｉｏｎ  ａｎｄ  Ｒａｎｇｉｎｇ）などが該当する。センサ部２３は、生成した出力信号を、制御部２５へ供給する。
【００３４】
入力部２４は、ユーザが操作するためのボタン、タッチパネル、リモートコントローラ、音声入力装置等である。例えば、入力部２４は、自動運転切替ボタン１６を含み、自動運転のオン及びオフを指定する入力を受け付け、生成した入力信号を制御部２５へ供給する。他の例では、入力部２４は、第１ディスプレイ２７や第２ディスプレイ２８に積層されたタッチパネルであって、これらのタッチパネルが生成した信号を制御部２５へ供給する。
【００３５】
出力部２６は、制御部２５の制御に基づき、所定の音声出力や所定の表示などを行う。本実施例では、出力部２６は、第１ディスプレイ２７と、第２ディスプレイ２８と、第３ディスプレイ２９と、音声出力するためのスピーカ３０とを含む。
【００３６】
制御部２５は、プログラムを実行するＣＰＵなどを含み、車両表示システム２の全体を制御する。例えば、制御部２５は、入力部２４により入力された目的地までの経路探索を行い、自動運転又は経路案内のための経路を設定する。また、制御部２５は、自動運転区間を車両１が走行中の場合には、センサ部２３の出力信号及び地図データ２０等に基づき、設定した経路に沿って走行するための車両１の自動運転制御を行う。また、本実施例では、制御部２５は、第１ディスプレイ２７、第２ディスプレイ２８、第３ディスプレイ２９及び携帯端末３のディスプレイに表示させるための表示情報を生成し、生成した表示情報をこれらのディスプレイに供給することで、自動運転に関する表示を行う。制御部２５は、本発明における「探索部」、「制御部」及び本発明におけるプログラムを実行するコンピュータの一例である。なお、制御部２５として機能するＣＰＵ等は、第１ディスプレイ２７〜第３ディスプレイ２８のいずれかに付属されていてもよく、車両１のＥＣＵ（Ｅｌｅｃｔｒｉｃ  Ｃｏｎｔｒｏｌ  Ｕｎｉｔ）であってもよい。
【００３７】
［表示制御］
次に、本実施例における自動運転に関する表示制御について説明する。概略的には、車両表示システム２は、目的地までの経路が設定された後では、自動運転を行う区間（「自動運転区間」とも呼ぶ。）と手動運転を行う区間（「手動運転区間」とも呼ぶ。）を識別可能に表示し、かつ、自動運転区間内の車両１の挙動を示す情報を表示する。
【００３８】
以後では、図３〜図８が示す第１表示例〜第６表示例に基づき、制御部２５の表示制御について具体例に説明する。なお、以後の説明では、代表例として第１ディスプレイ２７の表示制御を行う例について説明するが、制御部２５は、第１ディスプレイ２７に限らず、第２ディスプレイ２８、第３ディスプレイ２９、又は／及び携帯端末３のディスプレイに同様の表示を実行させてもよい。
【００３９】
図３は、目的地までの経路設定後の第１ディスプレイ２７による第１表示例である。
【００４０】
図３に示す第１表示例では、制御部２５は、第１ディスプレイ２７の左画面には目的地（ここでは「○○公園」）までの経路に関する経路プロフィール画面１８を表示すると共に、第１ディスプレイ２７の右画面には現在位置周辺の地図を示した地図画面１９を表示している。
【００４１】
ここで、制御部２５は、経路プロフィール画面１８上に、設定された目的地までの経路上の主要な各経由地に対応するアイコン３６Ａ〜３６Ｆを、現在位置マーク３５から目的地マーク３６Ｇまでの間に通過予定順に並べて表示している。ここでは、制御部２５は、現在位置から１番目から６番目までに近い６個分の経由地に対応するアイコン３６Ａ〜３６Ｆを表示している。後述するように、制御部２５は、スクロールボタン３７のタッチ操作に基づき、現在表示されているアイコン３６Ａ〜３６Ｆが示す経由地よりも目的地に近い経由地に対応するアイコンを表示させる。スクロールボタン３７による表示切替については図５を参照して後述する。
【００４２】
各アイコン３６Ａ〜３６Ｆは、対応する経由地又は当該経由地で車両が実行すべき挙動を表したデザインがなされている。例えば、アイコン３６Ａは、経由地が左折すべき交差点であることを示し、アイコン３６Ｂ、３６Ｆは、経由地がインターチェンジであることを示し、アイコン３６Ｃは、経由地が自動運転を開始する地点であることを示し、アイコン３６Ｄは、経由地が車線を変更する地点であることを示し、アイコン３６Ｅは、経由地が自動運転を終了する地点であることを示す。また、図３において、各アイコンを結ぶ線は、自動運転区間では手動運転区間内よりも太く表示されている。
【００４３】
また、制御部２５は、各アイコン３６Ａ〜３６Ｆの左隣には、各アイコン３６Ａ〜３６Ｆに対応する経由地の到着予想時刻を示した到着時刻情報４０を表示し、各アイコン３６Ａ〜３６Ｆの右隣には、各アイコン３６Ａ〜３６Ｆに対応する経由地の名称等を表す経由地情報４１を表示している。さらに、制御部２５は、自動運転区間に含まれる経由地に対応するアイコン３６Ｃ〜３６Ｅには、それぞれ、各経由地を通過する際の車両１の予定走行速度の情報を示す車両挙動情報４２を対応付けて表示している。後述するように、運転挙動情報４２が示す各経由地点での予定走行速度は、ユーザ入力に基づき変更可能である。また、制御部２５は、経路プロフィール画面１８の上端部分に、自動運転区間までの距離（ここでは１９ｋｍ）と所要時間（約３０分）を示した自動運転区間情報４９を表示させている。なお、運転挙動情報４２として経路プロフィール画面１８に表示させる内容は、自動運転区間内の予定走行速度に限らず、各アイコンに対応する経由地までの所要走行距離や所要時間等であってもよい。
【００４４】
また、制御部２５は、地図画面１９上に現在位置周辺の地図を表示すると共に、車両１の現在位置を示す現在位置マーク３５と、目的地までの設定された経路を示す経路線５０と、対応する経由地に対応付けたアイコン３６Ａ〜３６Ｆを表示させている。このように、制御部２５は、経路プロフィール画面１８に表示させたアイコン３６Ａ〜３６Ｆを、地図画面１９上に表示された地図上の対応地点に重ねて表示する。これにより、制御部２５は、運転上注意が必要な経由地の詳細な位置等を好適に運転者に把握させることができる。
【００４５】
図４は、第１ディスプレイ２７の第２表示例である。
【００４６】
第２表示例では、制御部２５は、第１ディスプレイ２７への操作に基づき、第１表示例において表示させていた車線変更に関するアイコン３６Ｄ及びこれに関連する表示を経路プロフィール画面１８及び地図画面１９において削除している。制御部２５は、例えば、経路プロフィール画面１８又は地図画面１９において、アイコン３６Ｄを振り払う操作（即ちフリック操作）を第１ディスプレイ２７に積層されたタッチパネルの出力に基づき検知した場合に、アイコン３６Ｄに対応する車線変更をユーザが望んでいないと判断し、アイコン３６Ｄに対応する車線変更の予定を取り消す。なお、制御部２５は、アイコン３６Ｄに対応する車線変更が設定された経路の走行に必須であった場合には、アイコン３６Ｄに対応する車線変更が必須である旨の警告等を表示又は音声により出力し、車線変更の取り消しに関する操作を無効としてもよい。
【００４７】
また、制御部２５は、経路プロフィール画面１８において、アイコン３６Ｄが消去されたことに伴い、アイコン３６Ｆに対応する経由地の次の経由地（ここでは「△△ＪＣＴ」）に対応するアイコン３６Ｈを表示させている。このとき、制御部２５は、経路プロフィール画面１８に新たに表示させたアイコン３６Ｈに対応する経由地が地図画面１９に表示されるように、地図画面１９に表示させる地図の縮尺を自動調整する。これにより、制御部２５は、経路プロフィール画面１８に表示させたアイコンを、地図画面１９が示す地図上でも明示し、各アイコンに対応する経由地の位置を好適にユーザに把握させることができる。
【００４８】
なお、制御部２５は、経路プロフィール画面１８において、ピンチ操作（ピンチイン又はピンチアウト）を検知した場合に、表示させるアイコンの数を増減させてもよい。例えば、制御部２５は、経路プロフィール画面１８上でピンチインの操作を検知した場合、ピンチインの操作量に応じて各経由地に対応するアイコンの表示個数を増加させ、経路プロフィール画面１８上でピンチアウトの操作を検知した場合、ピンチインの操作量に応じて各経由地に対応するアイコンの表示個数を減少させる。この場合、制御部２５は、好適には、経路プロフィール画面１８に表示されるアイコンを、地図画面１９が示す地図上でも明示するように、地図画面１９に表示させる地図の縮尺を自動調整するとよい。
【００４９】
同様に、制御部２５は、地図画面１９上でピンチインの操作を検知した場合、ピンチインの操作量に応じて地図を広域に表示し、当該広域表示により地図画面１９において新たに表示されたアイコンを経路プロフィール画面１８においても表示させる。また、制御部２５は、地図画面１９上でピンチアウトの操作を検知した場合、ピンチアウトの操作量に応じて地図を詳細に表示し、当該詳細表示により地図画面１９において非表示となったアイコンを経路プロフィール画面１８から消去する。この態様により、制御部２５は、好適に経由地に対応するアイコン表示個数をユーザ操作に基づき調整することができる。
【００５０】
また、制御部２５は、車線変更の取り消しに代えて、車線変更を行う位置の変更を受け付けてもよい。この場合、制御部２５は、例えば、地図画面１９上での車線変更を示すアイコン３６Ｄのドラッグ操作により、アイコン３６Ｄの位置変更を受け付ける。この場合、制御部２５は、地図画面１９上でのドラッグ操作により車線変更の位置が変更された場合、経路プロフィール画面１８における車線変更のアイコン３６Ｄの配置及び対応する到着予定時刻情報４０等の情報を、変更後の車線変更の位置に応じて更新する。
【００５１】
図５は、第１ディスプレイ２７の第３表示例を示す。
【００５２】
第３表示例では、制御部２５は、第２表示例の状態において、第１ディスプレイ２７への所定のタッチ操作又は第２ディスプレイ２８への所定のタッチ操作を検知し、運転挙動情報４２が示す自動運転区間における予定走行速度を「８０ｋｍ／ｈ」から「１００ｋｍ／ｈ」に変更している。この場合、例えば、制御部２５は、運転挙動情報４２の表示位置へのタッチ操作を第１ディスプレイ２７に積層されたタッチパネルの出力から検知した場合に、変更後の走行速度の候補リストを表示し、当該リストのうちタッチ操作により選択された走行速度を予定走行速度に設定する。他の例では、制御部２５は、音声入力に基づき、自動運転区間における予定走行速度を変更してもよい。また、制御部２５は、自動運転区間内の経由地ごとに、予定走行速度を設定する入力をそれぞれ受け付けてもよい。これにより、例えば、制御部２５は、ユーザ入力に基づき、景観がよい場所ではその他の場所よりも予定走行速度を低めに設定するなどの調整が可能となる。
【００５３】
このように、第２表示例及び第３表示例によれば、制御部２５は、第１ディスプレイ２７又は第２ディスプレイ２８への操作等に基づき、自動運転区間における車線変更の有無、車線変更の位置、及び予定走行速度などを好適に設定することができる。
【００５４】
なお、制御部２５は、第１ディスプレイ２７又は第２ディスプレイ２８への操作等に基づき、自動運転区間中における立寄り地（例えばサービスエリア及びパーキングエリア）の設定又は設定の取り消しなどをさらに受け付けてもよい。この場合、制御部２５は、例えば、地図画面１９に表示された地図中の自動運転区間におけるサービスエリア又はパーキングエリアへのタッチ操作を検知した場合に、タッチされたサービスエリア又はパーキングエリアを立寄り地に設定し、経路プロフィール画面１８に当該立寄り地のアイコン等を追加表示する。また、制御部２５は、自動運転区間におけるサービスエリア又はパーキングエリアが立寄り地として既に設定されていた場合、当該立寄り地に対応するアイコンを振り払う操作（フリック操作）等を検知したときには、上述のサービスエリア又はパーキングエリアを立寄り地とする設定を解除する。このように、制御部２５は、ユーザ入力に基づき、自動運転区間における車両の種々の挙動を好適に設定することができる。
【００５５】
図６は、第１ディスプレイ２７の第４表示例である。
【００５６】
第４表示例では、制御部２５は、図３に示す第１表示例において、スクロールボタン３７が指でタッチされたことを検知し、経路プロフィール画面１８においてアイコンを表示させる経由地を目的地寄りの経由地にシフトさせている。具体的には、制御部２５は、スクロールボタン３７のタッチ操作を検知した後、２つ分だけアイコンの表示をスライドし、第１表示例において表示されていた現在位置から１番目及び２番目に近い経由地を表すアイコン３６Ａ、３６Ｂを非表示とし、現在位置から７番目及び８番目に近い経由地を表すアイコン３６Ｈ、３６Ｉを新たに表示させている。また、制御部２５は、非表示となったアイコン３６Ａ、３６Ｂを再びタッチ操作により表示できるように、スクロールボタン３７Ａを新たに表示している。また、スクロールボタン３７、３７Ａのタッチ操作に代えて、制御部２５は、経路プロフィール画面１８上での上下方向のフリック操作を検知した場合、フリックの方向に応じたアイコンをスライド表示してもよい。
【００５７】
そして、第４表示例では、制御部２５は、経路プロフィール画面１８においてアイコン３６Ｈ、３６Ｉが新たに表示されたことから、地図画面１９においてもアイコン３６Ｈ、３６Ｉに対応する経由地が地図の表示範囲に含まれるように地図の縮尺を変更している。即ち、図６の例では、制御部２５は、地図を所定倍率だけ広域に表示することで、地図上にアイコン３６Ｈ、３６Ｉをそれぞれ表示させている。このように、制御部２５は、経路プロフィール画面１８において表示されたアイコンに対応する経由地が少なくとも地図の表示範囲に含まれるように、地図画面１９の地図の縮尺を自動調整することで、ユーザの利便性を高めることができる。
【００５８】
図７は、第１ディスプレイ２７の第５表示例である。
【００５９】
第５表示例は、自動運転区間において再生すべきコンテンツが設定されていた場合の第１ディスプレイ２７の表示例を示す。第５表示例では、制御部２５は、６時１５分から７時５分までの５０分間走行予定の自動運転区間中において、再生時間７０分のコンテンツ「□×ショー」を再生する旨の矢印４５及びコメント４６を表示させている。なお、この場合、走行予定時間（５０分）がコンテンツの再生時間（７０分）よりも２０分短いことから、制御部２５は、矢印４５を破線により表示すると共に、コメント４６において再生時間が２０分不足する旨を示している。
【００６０】
図８は、第１ディスプレイ２７の第６表示例である。
【００６１】
第６表示例では、制御部２５は、スクロールボタン３７のタッチ操作に基づきアイコン３６Ｈ、３６Ｉが表示させた後、自動運転の終了地点を変更する操作を受け付けて自動運転の終了地点を目的地の方向へ移動させている。その結果、第６表示例では、第５表示例では６時１５分から７時５分までの５０分間走行予定であった自動運転区間が６時１５分から８時１０分までの１１５分間走行予定となるように変更されている。
【００６２】
この場合、例えば、制御部２５は、経路プロフィール画面１８上において、自動運転終了地点を示すアイコン３６Ｅのドラッグ操作によりアイコン３６Ｈとアイコン３６Ｉの間の位置へアイコン３６Ｅを移動させる操作を検知し、自動運転終了地点をアイコン３６Ｈが示す「△△ＪＣＴ」とアイコン３６Ｉが示す「△○ＩＣ」との間に設定する。他の例では、制御部２５は、地図画面１９上において、アイコン３６Ｅのドラッグ操作によりアイコン３６Ｈとアイコン３６Ｉの間の位置へアイコン３６Ｅを移動させる操作を検知し、自動運転終了地点をアイコン３６Ｈが示す「△△ＪＣＴ」とアイコン３６Ｉが示す「△○ＩＣ」との間に設定する。
【００６３】
また、制御部２５は、自動運転終了地点の変更により自動運転区間での走行予定時間（１１５分）がコンテンツの再生時間（７０分）以上となったことから、破線の矢印４５に代えて実線の矢印４５Ａを表示させると共に、再生時間が２０分不足する旨の表示を消去したコメント４６Ａを表示させている。なお、制御部２５は、矢印４５Ａのドラッグ操作に基づき、矢印４５Ａの位置をアイコン３６Ｃとアイコン３６Ｅとの間の任意の位置に移動させてもよい。この場合、制御部２５は、移動後の矢印４５Ａの位置に応じて、コンテンツの再生期間を再設定する。これにより、制御部２５は、自動運転期間内におけるコンテンツの再生期間のユーザによる調整を好適に受け付けることができる。
【００６４】
このように、制御部２５は、第５及び第６表示例では、自動運転区間に再生させるコンテンツが設定されていた場合に、当該コンテンツの再生時間に対応する矢印（即ち矢印４５、４５Ａ）及び再生に関する情報（即ちコメント４６、４６Ａ）を表示させる。これにより、制御部２５は、自動運転中に再生するコンテンツの存在をユーザに好適に認識させることができる。また、制御部２５は、経路プロフィール画面１８又は地図画面１９におけるアイコン（即ちアイコン３６Ｅ）に対する操作に基づき、コンテンツの再生時間に応じた自動運転区間の変更を容易に受け付けることができる。なお、制御部２５は、自動運転終了地点のアイコン３６Ｅの移動に加えて、自動運転開始地点のアイコン３６Ｃを移動させる操作についても同様に受け付けてもよい。
【００６５】
以上説明したように、本実施例に係る車両表示システム２は、車両１を目的地に誘導する経路を探索し、探索した経路を第１ディスプレイ２７に表示する。このとき、車両表示システム２は、車両１が自動運転で制御される経路上の区間である自動運転区間と、車両１が手動運転で制御される経路上の区間である手動運転区間とを識別可能に表示させると共に、自動運転区間内での車両の挙動を示す情報を表示させる。これにより、車両表示システム２は、自動運転区間と手動運転区間とをユーザに好適に識別させつつ、自動運転区間における車両１の挙動を示す情報をユーザに明示し、車両１の挙動の設定を変更する入力を好適に受け付けることができる。
【００６６】
［変形例］
次に、上述の実施例に好適な変形例について説明する。以下の変形例は、任意に組み合わせて上述の実施例に適用してもよい。
【００６７】
（変形例１）
車両表示システム２は、第１ディスプレイ２７、第２ディスプレイ２８及び第３ディスプレイ２９を備えたが、車両表示システム２の構成はこれに限定されない。
【００６８】
例えば、車両表示システム２は、ディスプレイを１つのみ備えてもよい。この場合、車両表示システム２は、例えば、車両のＥＣＵと通信可能なナビゲーション装置であり、自動運転に必要な制御情報を車両のＥＣＵに送信したり、自動運転に関する表示に必要な車両の情報を車両のＥＣＵ等から受信したりする。他の例では、車両表示システム２は、ヘッドアップディスプレイを備えてもよい。この場合、車両表示システム２は、図３〜図８等で説明した経路プロフィール画面１８又は／及び地図画面１９の表示画像を虚像として運転者に視認させる。
【００６９】
（変形例２）
経路プロフィール画面１８の表示において、アイコンにより表示すべき経由地は、右左折地点や車線変更等に限られない。
【００７０】
例えば、制御部２５は、経路プロフィール画面１８において、運転上注意が必要な地点を注目すべき経由地とみなし、アイコンにより表示してもよい。具体的には、制御部２５は、高低差がある地点や道路、曲率が大きい（即ち車両１に大きな遠心力がかかる）カーブ地点などが経路上に存在する場合には、これらの地点を示すアイコンを経路プロフィール画面１８及び地図画面１９上に表示させてもよい。他の例では、制御部２５は、友人又は知人を車両１に乗せる地点（「乗車地点」とも呼ぶ。）が既に登録されている場合には、当該地点を主要な経由地とみなしてアイコンにより経路プロフィール画面１８及び地図画面１９上に表示させてもよい。また、制御部２５は、地図画面１９上において、友人又は知人を車両１に乗せる地点を示すアイコンのドラッグ操作により当該地点の変更を検知した場合、当該アイコンをドラッグ操作された地点を乗車地点として設定すると共に、当該地点の変更を示す情報を通信部２１を介して、友人又は知人の携帯端末等に通知してもよい。乗車地点は、本発明における「乗車地点」及び「経由地」の一例である。
【００７１】
また、制御部２５は、アイコンにより表示すべき経由地の種類の設定を、ユーザ入力により受け付けてもよい。例えば、制御部２５は、車線変更についてはアイコン表示しない旨の設定の入力を受け付けた場合には、経路プロフィール画面１８及び地図画面１９上において、車線変更に対応するアイコンを非表示とする。
【００７２】
（変形例３）
制御部２５は、経路プロフィール画面１８上において、お薦めスポットの情報を表示し、当該お薦めスポットを立寄る旨のユーザ入力を検知した場合に、当該お薦めスポットを立寄り地として設定してもよい。
【００７３】
ここで、お薦めスポットは、例えば、景観がよい車線又は場所、お薦めの観光地、人気が高い施設などが該当する。制御部２５は、例えば、地図データ１０を参照し、又は、お薦めスポット等を管理する図示しないサーバ装置から受信した情報に基づき、経路付近におけるお薦めスポットを検出した場合には、検出したお薦めスポットをポップアップ表示などにより経路プロフィール画面１８上に表示する。そして、制御部２５は、経路プロフィール画面１８上に表示したお薦めスポットを立寄り地として選択されたことを検知した場合、当該お薦めスポットを立寄り地として設定する。
【００７４】
（変形例４）
制御部２５は、経路プロフィール画面１８上に、各経由地に対応するアイコンと共に各経由地を他車両が撮影した画像を表示させてもよい。
【００７５】
この場合、例えば、制御部２５は、各道路上を走行する車両が走行中に撮影した画像を収集する図示しないサーバ装置から、設定された経路上の各経由地を撮影した画像を通信部２１により受信する。この場合、例えば、制御部２５は、サーバ装置に対し、設定した経路の情報又は当該経路上の各経由地の位置情報等を含む要求信号を送信することで、上述の画像を取得する。そして、制御部２５は、経路プロフィール画面１８において、各アイコンに並べて、対応する経由地を撮影した画像を表示させる。この場合、制御部２５は、表示した画像のタッチ操作を検知した場合に、タッチされた画像を拡大表示してもよい。
【００７６】
この態様によれば、運転者は、経由地の状況（例えば渋滞状況等）を事前に把握し、渋滞等が発生して通過に支障がある経由地を画像により確認した場合に、当該経由地を避けるように経路の再探索の指示などを行うことができる。
【００７７】
（変形例５）
制御部２５は、経路プロフィール画面１８又は地図画面１９のいずれか一方のみを第１ディスプレイ２７に表示させてもよい。この場合、例えば、制御部２５は、経路プロフィール画面１８の表示又は非表示、地図画面１９の表示又は非表示の切替に関するユーザ入力を受け付け、受け付けたユーザ入力に基づき、経路プロフィール画面１８及び地図画面１９のそれぞれの表示又は非表示を切り替えてもよい。
【００７８】
（変形例６）
制御部２５は、自動運転区間内に再生させるコンテンツの設定の入力を受け付ける場合、自動運転区間における予定走行時間以内の再生時間となるコンテンツのみを自動運転区間内に再生させるコンテンツとして設定可能としてもよい。この場合、制御部２５は、例えば、自動運転区間における予定走行時間を超過する再生時間となるコンテンツが自動運転区間内に再生させるコンテンツとして指定する入力があったときには、指定されたコンテンツでは自動運転区間内で再生が完了しない旨の警告を出力し、経路の再探索や自動運転区間の変更等の提案を行う。
【符号の説明】
【００７９】
１  車両
２  車両表示システム
３  携帯端末
４  クレードル
２７  第１ディスプレイ
２８  第２ディスプレイ
２９  第３ディスプレイ
２１  通信部
２２  記憶部
２３  センサ部
２４  入力部
２５  制御部
２６  出力部
【図１】
2018100867.tif 000003
【図２】
2018100867.tif 000004
【図３】
2018100867.tif 000005
【図４】
2018100867.tif 000006
【図５】
2018100867.tif 000007
【図６】
2018100867.tif 000008
【図７】
2018100867.tif 000009
【図８】
2018100867.tif 000010